(57)【特許請求の範囲】
【請求項１】
コアネットワークの外部に設置され、基地局に公衆網を介して接続され且つ前記基地局と前記コアネットワークとの間でトラヒックを中継するゲートウェイから、前記基地局が形成する無線通信エリアへの移動局の進入又は退去を示すメッセージを受信する第１のサーバと、
前記メッセージの受信をトリガとして、前記移動局又は前記移動局に対応付けて設定された宛先に対し情報を配信する第２のサーバと、
を備えたサービス配信プラットフォーム。
【請求項２】
請求項１において、
前記第１のサーバは、前記ゲートウェイにより複数の基地局と前記コアネットワークとの間のトラフィックが中継される場合、前記ゲートウェイから、各基地局が形成する無線通信エリアへの前記移動局の進入又は退去を示すメッセージを受信し、
前記第２のサーバは、前記メッセージが、前記情報の提供元から指定された特定の基地局が形成する無線通信エリアへの前記移動局の進入又は退去を示す場合、前記情報の配信を行うことを特徴するサービス配信プラットフォーム。
【請求項３】
請求項２において、
前記コアネットワークで各基地局を一意に識別するための第１の識別子と、前記提供元に各基地局を指定させるための第２の識別子との対応関係を示すマッピング情報を記憶する第３のサーバを、さらに備え、
前記第２のサーバは、
前記マッピング情報を参照して、前記メッセージに含まれる第１の識別子を、これに対応する第２の識別子に変換し、
前記変換により得た第２の識別子と、前記提供元が前記特定の基地局の指定に際して用いた第２の識別子とが一致する場合、前記情報の配信を行う、
ことを特徴とするサービス配信プラットフォーム。
【請求項４】
請求項１又は２において、
前記第２のサーバは、前記メッセージが、前記情報の提供元から指定された特定の移動局による前記無線通信エリアへの進入又は退去を示す場合、前記情報の配信を行うことを特徴とするサービス配信プラットフォーム。
【請求項５】
請求項４において、
前記コアネットワークで複数の移動局各々を一意に識別するための第１の識別子と、前記提供元に各移動局を指定させるための第２の識別子との対応関係を示すマッピング情報を記憶する第３のサーバを、さらに備え、
前記第２のサーバは、
前記マッピング情報を参照して、前記メッセージに含まれる第１の識別子を、これに対応する第２の識別子に変換し、
前記変換により得た第２の識別子と、前記提供元が前記特定の移動局の指定に際して用いた第２の識別子とが一致する場合、前記情報の配信を行う、
ことを特徴とするサービス配信プラットフォーム。
【請求項６】
請求項１において、
前記第２のサーバが、前記無線通信エリア内に設置された情報機器に、前記情報に関連する付加情報を配信させることを特徴としたサービス配信プラットフォーム。
【請求項７】
請求項６において、
前記第２のサーバが、前記情報機器に、前記移動局を所持するユーザの属性に応じた情報を配信させることを特徴としたサービス配信プラットフォーム。
【請求項８】
無線通信エリアを形成する基地局と、
コアネットワークの外部に設置され、前記基地局に公衆網を介して接続され、前記基地局と前記コアネットワークとの間でトラヒックを中継するゲートウェイと、
前記基地局に無線接続可能な移動局、又は前記移動局に対応付けて設定された宛先に対して情報を配信するサービス配信プラットフォームと、を備え、
前記サービス配信プラットフォームは、前記ゲートウェイからの前記無線通信エリアへの前記移動局の進入又は退去を示すメッセージの受信をトリガとして、前記情報の配信を行う、
サービス配信システム。
【請求項９】
コアネットワークの外部に設置され、基地局に公衆網を介して接続され且つ前記基地局と前記コアネットワークとの間でトラヒックを中継するゲートウェイから、前記基地局が形成する無線通信エリアへの移動局の進入又は退去を示すメッセージを受信し、
前記メッセージの受信をトリガとして、前記移動局又は前記移動局に対応付けて設定された宛先に対し情報を配信する、
ことを含むサービス配信方法。
【請求項１０】
コンピュータに、
コアネットワークの外部に設置され、基地局に公衆網を介して接続され且つ前記基地局と前記コアネットワークとの間でトラヒックを中継するゲートウェイから、前記基地局が形成する無線通信エリアへの移動局の進入又は退去を示すメッセージを受信する処理と、
前記メッセージの受信をトリガとして、前記移動局又は前記移動局に対応付けて設定された宛先に対し情報を配信する処理と、
を実行させるためのサービス配信プログラム。
【発明の詳細な説明】
【技術分野】
【０００１】
本発明は、サービス配信プラットフォーム、サービス配信システム、並びにサービス配信方法及びプログラムに関し、特にフェムトセルの位置情報を活用したサービスを配信する技術に関する。
【背景技術】
【０００２】
近年、屋内等へ設置可能な無線基地局の開発が進められている。この無線基地局により形成されるセル(無線通信エリア)は、そのカバーエリアが屋外に設置される無線基地局と比較して極めて小さい(数メートルから数十メートル程度である)ことから、一般にフェムトセルと呼ばれる。そこで、以降の説明においては、フェムトセルを形成する無線基地局をフェムト基地局と呼称する。これに対して、フェムトセルより大規模なセル(一般にマクロセルと呼ばれる)を形成する無線基地局をマクロ基地局と呼称し、フェムト基地局と区別することがある。なお、３ＧＰＰ(３ｒｄ Ｇｅｎｅｒａｔｉｏｎ Ｐａｒｔｎｅｒｓｈｉｐ Ｐｒｏｊｅｃｔ)では、フェムト基地局をＨｏｍｅ Ｎｏｄｅ Ｂ(ＨＮＢ)として標準化している。【０００３】
また、フェムト基地局は、インターネット等の公衆網を経由し、ＲＡＮ−ＧＷ(Ｒａｄｉｏ Ａｃｃｅｓｓ Ｎｅｔｗｏｒｋ Ｇａｔｅｗａｙ)を介して移動体通信網(コアネットワーク)に編入する。ここで、フェムト基地局は、マクロ基地局のカバーエリアを補うために導入されることが多い。【０００４】
さらに、フェムト基地局は、その設置がマクロ基地局と比較して容易であることから、上記のような不感地帯での利用に限らず、フェムトセルの位置情報を活用したサービス(換言すると、フェムト基地局の設置場所に固有のサービス)への利用が検討されている。【０００５】
なお、通信事業者は、コンテンツプロバイダや広告配信事業者等の３ｒｄ Ｐａｒｔｙに対して、携帯電話機等の移動局のユーザ情報を公開するサービスの導入を検討している。これにより、３ｒｄ Ｐａｒｔｙによる多種多様なサービスが実現されると期待されている。【０００６】
上記のようなフェムトセルの位置情報を活用したサービスを配信するシステムが、例えば特許文献１〜４に記載されている。しかしながら、これらの特許文献１〜４に記載されるシステムでは、移動局がフェムトセルに在圏した際にユーザ操作主導で情報配信を行うＰｕｌｌ型サービスを対象としている。このため、情報の提供元にとっては、リアルタイムな情報配信が困難であるという問題があった。【０００７】
この問題に対処し、提供元主導で情報配信を行うＰｕｓｈ型サービスを実現するシステムが、例えば特許文献５及び６に記載されている。【０００８】
具体的には、特許文献５に記載されるシステムでは、コアネットワーク内に設置される位置登録サーバ(ＨＬＲ：Ｈｏｍｅ Ｌｏｃａｔｉｏｎ Ｒｅｇｉｓｔｅｒ)が、フェムト基地局を介して移動局からの位置登録要求を受信すると、外部の情報配信サーバに対して、移動局がフェムトセルに進入したことを示す位置情報を通知する。これに応じて、情報配信サーバは、移動局宛にアプリケーション起動要求を送信し、以て移動局に情報受信用のアプリケーションを起動させる。【０００９】
また、特許文献６に記載されるシステムでは、コアネットワーク内に設置される管理ノードが、マクロ基地局を介して移動局からの位置登録要求を受信すると、コアネットワーク内に設置されるゲートウェイ(所謂ＧＧＳＮ(Ｇａｔｅｗａｙ ＧＰＲＳ Ｓｕｐｐｏｒｔ Ｎｏｄｅ)の一部機能に相当)に対して、移動局を情報の配信先として登録するための要求(移動局のアドレスと、移動局のユーザが契約しているサービスの識別子とを含む)を送信する。ゲートウェイは、サービス識別子に対応する外部のサーバに対してコンテンツ配信の開始を要求すると共に、サーバから受信したコンテンツを移動局のアドレス宛に転送する。
【先行技術文献】
【特許文献】
【００１０】
【特許文献１】特開２００９−９４５５９号公報
【特許文献２】特開２００９−１８８６２９号公報
【特許文献３】特開２００９−２１２６６３号公報
【特許文献４】特開２００９−２５３４６５号公報
【特許文献５】特開２００９−２６７４６３号公報
【特許文献６】特開２００２−７７２５４号公報
【発明の概要】
【発明が解決しようとする課題】
【００１１】
しかしながら、上記の特許文献５及び６には、その導入が困難であるという課題があった。これは、既存のコアネットワーク設備(上記の特許文献５ではＨＬＲ、上記の特許文献６では管理ノードとＧＧＳＮの一部機能)に改良を加える必要があるためである。この場合、導入に際してはコアネットワークの運用を停止しなければならず、コアネットワークに帰属する全ての移動局が通信不可となる。【００１２】
従って、本発明の目的は、コアネットワーク設備に改良を施すこと無く、フェムトセルの位置情報を活用したＰｕｓｈ型サービスを実現することにある。
【課題を解決するための手段】
【００１３】
上記の目的を達成するため、本発明の一態様に係るサービス配信プラットフォームは、基地局に公衆網を介して接続され且つ前記基地局とコアネットワークとの間でトラヒックを中継するゲートウェイから、前記基地局が形成する無線通信エリアへの移動局の進入又は退去を示すメッセージを受信する第１のサーバと、前記メッセージの受信をトリガとして、前記移動局又は前記移動局に対応付けて設定された宛先に対し情報を配信する第２のサーバとを備える。【００１４】
また、本発明の一態様に係るサービス配信システムは、無線通信エリアを形成する基地局と、前記基地局に公衆網を介して接続され、前記基地局とコアネットワークとの間でトラヒックを中継するゲートウェイと、前記基地局に無線接続可能な移動局、又は前記移動局に対応付けて設定された宛先に対して情報を配信するサービス配信プラットフォームとを備える。前記サービス配信プラットフォームは、前記ゲートウェイからの前記無線通信エリアへの前記移動局の進入又は退去を示すメッセージの受信をトリガとして、前記情報の配信を行う。【００１５】
また、本発明の一態様に係るサービス配信方法は、基地局に公衆網を介して接続され且つ前記基地局とコアネットワークとの間でトラヒックを中継するゲートウェイから、前記基地局が形成する無線通信エリアへの移動局の進入又は退去を示すメッセージを受信し、前記メッセージの受信をトリガとして、前記移動局又は前記移動局に対応付けて設定された宛先に対し情報を配信することを含む。【００１６】
さらに、本発明の一態様に係るサービス配信プログラムは、コンピュータに、基地局に公衆網を介して接続され且つ前記基地局とコアネットワークとの間でトラヒックを中継するゲートウェイから、前記基地局が形成する無線通信エリアへの移動局の進入又は退去を示すメッセージを受信する処理と、前記メッセージの受信をトリガとして、前記移動局又は前記移動局に対応付けて設定された宛先に対し情報を配信する処理とを実行させる。
【発明の効果】
【００１７】
本発明によれば、アネットワーク設備に改良を施すこと無く、フェムトセルの位置情報を活用したＰｕｓｈ型サービスを実現することが可能である。
【図面の簡単な説明】
【００１８】
【図１】本発明の実施の形態１に係るサービス配信システムの概略的な構成例を示したブロック図である。
【図２】本発明の実施の形態１に係るサービス配信システムの具体的な構成例を示したブロック図である。
【図３】本発明の実施の形態１に係るサービス配信システムにおける、Ｐｕｓｈ条件の登録動作例を示したシーケンス図である。
【図４】本発明の実施の形態１に係るサービス配信システムにおける、プレゼンス情報の監視動作の一例を示したシーケンス図である。
【図５】本発明の実施の形態１に係るサービス配信システムにおける、プレゼンス情報の監視動作の他の例を示したシーケンス図である。
【図６】本発明の実施の形態１に係るサービス配信システムにおける、情報配信動作の一例を示したシーケンス図である。
【図７】本発明の実施の形態１に係るサービス配信システムにおける、情報配信動作の他の例を示したシーケンス図である。
【図８】本発明の実施の形態２に係るサービス配信システムの構成例を示したブロック図である。
【図９】本発明の実施の形態２に係るサービス配信システムの動作例を示したシーケンス図である。
【発明を実施するための形態】
【００１９】
以下、本発明に係るサービス配信プラットフォーム(ＳＤＰ：Ｓｅｒｖｉｃｅ Ｄｅｌｉｖｅｒｙ Ｐｌａｔｆｏｒｍ)及びこれを適用するサービス配信システムの実施の形態１及び２を、図１〜図９を参照して説明する。なお、各図面において、同一要素には同一の符号が付されており、説明の明確化のため、必要に応じて重複説明は省略される。
【００２０】
[実施の形態１]
図１に示すように、本実施の形態に係るサービス配信システム１は、フェムト基地局１０と、ＲＡＮ−ＧＷ ２０と、ＳＤＰ ３０とを含む。
【００２１】
この内、フェムト基地局１０は、フェムトセル４０を形成する。また、フェムト基地局１０は、ＩＰ(Ｉｎｔｅｒｎｅｔ Ｐｒｏｔｏｃｏｌ)通信網やインターネット等の公衆網５０を経由し、ＲＡＮ−ＧＷ ２０を介してコアネットワーク６０に編入する。
【００２２】
また、ＲＡＮ−ＧＷ ２０は、フェムト基地局１０とコアネットワーク６０との間で、種々のトラヒックを中継する。
【００２３】
さらに、ＳＤＰ ３０は、フェムト基地局１０に無線接続可能な移動局としての携帯電話機７０、又は携帯電話機７０に対応付けて設定された宛先(図示せず)に対して情報を配信する。また、ＳＤＰ ３０は、Ｐｒｅｓｅｎｃｅ Ｓｅｒｖｅｒ ３１と、Ｎｏｔｉｆｉｃａｔｉｏｎ Ｓｅｒｖｅｒ ３２とを含む。ここで、Ｐｒｅｓｅｎｃｅ Ｓｅｒｖｅｒ ３１は上述した第１のサーバに対応し、Ｎｏｔｉｆｉｃａｔｉｏｎ Ｓｅｒｖｅｒ ３２は上述した第２のサーバに対応する。
【００２４】
動作において、ＲＡＮ−ＧＷ ２０は、携帯電話機７０がフェムトセル４０へ進入(在圏)した際、コアネットワーク６０への位置登録要求(以下、３Ｇ ＲＥＧＩＳＴＥＲ)を中継する。これと並行して、ＲＡＮ−ＧＷ ２０は、ＳＤＰ ３０に対して、携帯電話機７０がフェムトセル４０へ進入したことを示すプレゼンス情報の設定要求(以下、Ｓｅｔ Ｐｒｅｓｅｎｃｅ)を送信する。一方、携帯電話機７０がフェムトセル４０から退去(離圏)した際、コアネットワーク６０への位置登録解除要求(以下、３Ｇ ＤＥＲＥＧＩＳＴＥＲ)を中継する。これと並行して、ＲＡＮ−ＧＷ ２０は、ＳＤＰ ３０に対して、携帯電話機７０がフェムトセル４０から退去したことを示すＳｅｔ Ｐｒｅｓｅｎｃｅを送信する。
【００２５】
Ｐｒｅｓｅｎｃｅ Ｓｅｒｖｅｒ ３１は、ＲＡＮ−ＧＷ ２０からＳｅｔ Ｐｒｅｓｅｎｃｅを受信する。一方、Ｎｏｔｉｆｉｃａｔｉｏｎ Ｓｅｒｖｅｒ ３２は、Ｓｅｔ Ｐｒｅｓｅｎｃｅの受信(すなわち、フェムトセル４０への携帯電話機７０の在圏又は離圏)をトリガとして、情報の配信を行う。携帯電話機７０に対して情報を配信する場合、Ｎｏｔｉｆｉｃａｔｉｏｎ Ｓｅｒｖｅｒ ３２は、コアネットワーク６０に情報の転送を依頼する。また、携帯電話機７０に対応付けて設定された宛先が他の携帯電話機である場合、Ｎｏｔｉｆｉｃａｔｉｏｎ Ｓｅｒｖｅｒ ３２は、コアネットワーク６０に情報の転送を依頼する。さらに、携帯電話機７０に対応付けて設定された宛先がＰＣ(Ｐｅｒｓｏｎａｌ Ｃｏｍｐｕｔｅｒ)等の携帯電話機以外の端末である場合には、Ｎｏｔｉｆｉｃａｔｉｏｎ Ｓｅｒｖｅｒ ３２は、例えば公衆網５０に対して情報を送出する。
【００２６】
このように、本実施の形態においては、コアネットワークの設備には何ら改良を施すこと無く且つユーザ操作を伴うこと無く、フェムトセルへの携帯電話機の在圏又は離圏をトリガとして、携帯電話機又は他の端末に対してリアルタイムに情報を配信することができる。
【００２７】
以下、本実施の形態の具体的な構成例及び動作例を、図２〜図７を参照して詳細に説明する。
【００２８】
図２に示すように、フェムト基地局１０は、マクロ基地局８０により形成されるマクロセル９０内に設置されている。ここで、サービス配信システム１においては、複数のフェムト基地局が設置されても良い。また、１つのフェムト基地局には、複数の携帯電話機が無線接続することができる。なお、マクロ基地局８０は、ＲＮＣ(Ｒａｄｉｏ Ｎｅｔｗｏｒｋ Ｃｏｎｔｒｏｌｌｅｒ) １００を介して、コアネットワーク６０に接続される。
【００２９】
また、ＲＡＮ−ＧＷ ２０は、ＲＮＣ １００を介して、コアネットワーク６０に接続される。ここで、フェムト基地局が複数設置される場合、ＲＡＮ−ＧＷ ２０は、各フェムト基地局とコアネットワーク６０との間のトラヒックを中継する。また、上記の３Ｇ ＲＥＧＩＳＴＥＲ及び３Ｇ ＤＥＲＥＧＩＳＴＥＲは、コアネットワーク６０内に設置されるＭＳＣ(Ｍｏｂｉｌｅ Ｓｗｉｔｃｈｉｎｇ Ｃｅｎｔｅｒ) ６１を経由して、ＨＬＲ ６２で受信される。ＨＬＲ ６２は、３Ｇ ＲＥＧＩＳＴＥＲ及び３Ｇ ＤＥＲＥＧＩＳＴＥＲに基づき、携帯電話機の位置情報を更新する。
【００３０】
さらに、ＳＤＰ ３０は、上記のＰｒｅｓｅｎｃｅ Ｓｅｒｖｅｒ ３１及びＮｏｔｉｆｉｃａｔｉｏｎ Ｓｅｒｖｅｒ ３２に加えて、Ｐｒｏｆｉｌｅ Ｓｅｒｖｅｒ ３３と、３ｒｄ Ｐａｒｔｙ ＧＷ ３４とを備えている。
【００３１】
ここで、Ｐｒｅｓｅｎｃｅ Ｓｅｒｖｅｒ ３１は、ＲＡＮ−ＧＷ ２０により複数のフェムト基地局とコアネットワーク６０との間のトラヒックが中継される場合、ＲＡＮ−ＧＷ ２０から、各フェムト基地局により形成されるフェムトセルへの携帯電話機の在圏又は離圏を示すＳｅｔ Ｐｒｅｓｅｎｃｅを受信する。
【００３２】
また、Ｎｏｔｉｆｉｃａｔｉｏｎ Ｓｅｒｖｅｒ ３２は、携帯電話機に対して情報を配信する場合、コアネットワーク６０内に設置される、ＳＭＳＣ(Ｓｈｏｒｔ Ｍｅｓｓａｇｅ Ｓｅｒｖｉｃｅ Ｃｅｎｔｅｒ)又はＭＭＳＣ(Ｍｕｌｔｉｍｅｄｉａ Ｍｅｓｓａｇｅ Ｓｅｒｖｉｃｅ Ｃｅｎｔｅｒ) ６３に情報の転送を依頼する。
【００３３】
また、３ｒｄ Ｐａｒｔｙ ＧＷ ３４は、公衆網５０とのインタフェースとして機能し、ＳＤＰ ３０が配信する情報の提供元である３ｒｄ Ｐａｒｔｙ Ｉｎｆｏｒｍａｔｉｏｎ Ｐｒｏｖｉｄｅｒ １１０の認証処理や、３ｒｄ Ｐａｒｔｙ Ｉｎｆｏｒｍａｔｉｏｎ Ｐｒｏｖｉｄｅｒ １１０に対して携帯電話機の位置情報やユーザの属性情報等を公開する際の開示制御等を行う。
【００３４】
さらに、Ｐｒｏｆｉｌｅ Ｓｅｒｖｅｒ ３３は、大略、フェムト基地局の識別子と、携帯電話機の識別子とを管理する。具体的には、Ｐｒｏｆｉｌｅ Ｓｅｒｖｅｒ ３３は、サービス配信システム１の運用に先立ち、下記(Ａ)〜(Ｃ)に示すマッピング情報を予め記憶する。
【００３５】
(Ａ)ＨＮＢ ＩＤと、Ａｒｅａ ＩＤとの対応関係を示すマッピング情報。ここで、ＨＮＢ ＩＤは、コアネットワーク６０でフェムト基地局を一意に識別するための識別子である。また、Ａｒｅａ ＩＤは、３ｒｄ Ｐａｒｔｙ Ｉｎｆｏｒｍａｔｉｏｎ Ｐｒｏｖｉｄｅｒ １１０用に割り当てたフェムト基地局の識別子である。Ａｒｅａ ＩＤは、フェムト基地局毎に割り当てても良いし、複数のフェムト基地局に対してグループ識別子として割り当てても良い。グループ識別子の例としては、飲食店に設置されるフェムト基地局に対して同一のＡｒｅａ ＩＤを共通に割り当てるケース等が挙げられる。
【００３６】
(Ｂ)ＵＥ ＩＭＳＩ(Ｕｓｅｒ Ｅｑｕｉｐｍｅｎｔ Ｉｎｔｅｒｎａｔｉｏｎａｌ Ｍｏｂｉｌｅ Ｓｕｂｓｃｒｉｂｅｒ Ｉｄｅｎｔｉｔｙ)と、Ｕｓｅｒ ＩＤとの対応関係を示すマッピング情報。ここで、ＵＥ ＩＭＳＩは、コアネットワーク６０で携帯電話機(ＳＩＭ(Ｓｕｂｓｃｒｉｂｅｒ Ｉｄｅｎｔｉｔｙ Ｍｏｄｕｌｅ)カード)を一意に識別するための識別子である。また、Ｕｓｅｒ ＩＤは、３ｒｄ Ｐａｒｔｙ Ｉｎｆｏｒｍａｔｉｏｎ Ｐｒｏｖｉｄｅｒ １１０用に割り当てた携帯電話機の識別子である。Ｕｓｅｒ ＩＤは、携帯電話機毎に割り当てても良いし、複数の携帯電話機に対してグループ識別子として割り当てても良い。グループ識別子の例としては、３０代の男性により使用される携帯電話機に対して同一のＡｒｅａ ＩＤを共通に割り当てるケース等が挙げられる。
【００３７】
(Ｃ)ＵＥ ＩＭＳＩと、ＵＥ ＭＳＩＳＤＮ(Ｍｏｂｉｌｅ Ｓｕｂｓｃｒｉｂｅｒ Ｉｎｔｅｇｒａｔｅｄ Ｓｅｒｖｉｃｅｓ Ｄｉｇｉｔａｌ Ｎｕｍｂｅｒ)との対応関係を示すマッピング情報。ここで、ＵＥ ＭＳＩＳＤＮは、所謂、携帯電話機の電話番号であり、国番号、国内宛先番号、及び加入者番号から構成される。なお、ＵＥ ＭＳＩＳＤＮに代えて、携帯電話機のＥ−ｍａｉｌアドレスをＵＥ ＩＭＳＩと対応付けても良い。また、ユーザ情報の開示ポリシ如何によっては、ＵＥ ＭＳＩＳＤＮ(又はＥ−ｍａｉｌアドレス)をそのままＵｓｅｒ ＩＤとして割り当てても良い。
【００３８】
以下、本実施の形態の具体的な動作について、下記(1)〜(３)に示す動作例を、図３〜図７を参照して順に説明する。
【００３９】
(１)Ｐｕｓｈ条件の登録動作例
(２)プレゼンス情報の監視動作例
(３)情報配信動作例
【００４０】
(１)Ｐｕｓｈ条件の登録動作例
図３に示すように、まず３ｒｄ Ｐａｒｔｙ Ｉｎｆｏｒｍａｔｉｏｎ Ｐｒｏｖｉｄｅｒ １１０が、３ｒｄ Ｐａｒｔｙ ＧＷ ３４を介してＮｏｔｉｆｉｃａｔｉｏｎ Ｓｅｒｖｅｒ ３２に対し、Ｐｕｓｈ条件登録要求を送信する(ステップＳ１)。
【００４１】
ここで、Ｐｕｓｈ条件登録要求には、下記(Ｄ)〜(Ｆ)に示す３つのパラメータが含まれる。
【００４２】
(Ｄ)プレゼンス情報の監視対象：このパラメータには、Ａｒｅａ ＩＤ(すなわち、特定のフェムトセルへの任意の携帯電話機の在圏又は離圏)、又はＡｒｅａ ＩＤとＵｓｅｒ ＩＤの組合せ(すなわち、特定のフェムトセルへの特定の携帯電話機の在圏又は離圏)が指定される。
【００４３】
(Ｅ)Ｐｕｓｈ条件：このパラメータには、フェムトセルへの在圏、フェムトセルからの離圏、又はその両者が指定される。
【００４４】
(Ｆ)Ｐｕｓｈ内容：このパラメータには、ＳＭＳ又はＭＭＳのメッセージ本文(以下、ｍｓｇ ｂｏｄｙと呼称することがある)が指定される。また、プレゼンス情報の監視対象で無い携帯電話機、又は携帯電話機以外の端末に対してｍｓｇ ｂｏｄｙを配信する場合には、このパラメータにｍｓｇ ｂｏｄｙの配信先アドレスを含めれば良い。
【００４５】
そして、Ｎｏｔｉｆｉｃａｔｉｏｎ Ｓｅｒｖｅｒ ３２は、Ａｒｅａ ＩＤをＨＮＢ ＩＤに変換する。具体的には、Ｎｏｔｉｆｉｃａｔｉｏｎ Ｓｅｒｖｅｒ ３２は、Ａｒｅａ ＩＤを含むＳｅａｒｃｈ ｌｏｃａｔｉｏｎ ｒｅｑｕｅｓｔを、Ｐｒｏｆｉｌｅ Ｓｅｒｖｅｒ ３３に対して送信する(ステップＳ２)。Ｐｒｏｆｉｌｅ Ｓｅｒｖｅｒ ３３は、Ａｒｅａ ＩＤをキーとして上記(Ａ)に示したマッピング情報を検索し、以てＡｒｅａ ＩＤに対応するＨＮＢ ＩＤを取得する。そして、Ｐｒｏｆｉｌｅ Ｓｅｒｖｅｒ ３３は、取得したＨＮＢ ＩＤを含むＳｅａｒｃｈ ｌｏｃａｔｉｏｎ ｒｅｓｐｏｎｓｅを、Ｎｏｔｉｆｉｃａｔｉｏｎ Ｓｅｒｖｅｒ ３２に対して送信する(ステップＳ３)。
【００４６】
また、プレゼンス情報の監視対象としてＵｓｅｒ ＩＤが指定された場合、Ｎｏｔｉｆｉｃａｔｉｏｎ Ｓｅｒｖｅｒ ３２は、Ｕｓｅｒ ＩＤをＵＥ ＩＭＳＩに変換する。具体的には、Ｎｏｔｉｆｉｃａｔｉｏｎ Ｓｅｒｖｅｒ ３２は、Ｕｓｅｒ ＩＤを含むＳｅａｒｃｈ ｕｓｅｒ ｒｅｑｕｅｓｔを、Ｐｒｏｆｉｌｅ Ｓｅｒｖｅｒ ３３に対して送信する(ステップＳ４)。Ｐｒｏｆｉｌｅ Ｓｅｒｖｅｒ ３３は、Ｕｓｅｒ ＩＤをキーとして上記(Ｂ)に示したマッピング情報を検索し、以てＵｓｅｒ ＩＤに対応するＵＥ ＩＭＳＩを取得する。そして、Ｐｒｏｆｉｌｅ Ｓｅｒｖｅｒ ３３は、取得したＵＥ ＩＭＳＩを含むＳｅａｒｃｈ ｕｓｅｒ ｒｅｓｐｏｎｓｅを、Ｎｏｔｉｆｉｃａｔｉｏｎ Ｓｅｒｖｅｒ ３２に対して送信する(ステップＳ５)。
【００４７】
そして、Ｎｏｔｉｆｉｃａｔｉｏｎ Ｓｅｒｖｅｒ ３２は、Ｐｒｅｓｅｎｓｅ Ｓｅｒｖｅｒ ３１に対してＳｕｂｓｃｒｉｂｅ Ｐｒｅｓｅｎｃｅを送信し、以てＰｒｅｓｅｎｓｅ Ｓｅｒｖｅｒ ３１に、上記のステップＳ３で変換したＨＮＢ ＩＤ、又はこのＨＮＢ ＩＤと上記のステップＳ５で変換したＵＥ ＩＭＳＩの組合せを対象としてプレゼンス情報の更新を通知するよう要求する(ステップＳ６)。
【００４８】
次いで、Ｎｏｔｉｆｉｃａｔｉｏｎ Ｓｅｒｖｅｒ ３２は、ｍｓｇ ｂｏｄｙの配信に備え、Ｐｕｓｈ条件登録要求に含まれる上記(Ｄ)〜(Ｆ)に示したパラメータをメモリ等に保持しておく(ステップＳ７)。
【００４９】
最後に、Ｎｏｔｉｆｉｃａｔｉｏｎ Ｓｅｒｖｅｒ ３２は、３ｒｄ Ｐａｒｔｙ Ｉｎｆｏｒｍａｔｉｏｎ Ｐｒｏｖｉｄｅｒ １１０に対し、Ｐｕｓｈ条件登録応答を送信する(ステップＳ８)。
【００５０】
(２)プレゼンス情報の監視動作例
次に、プレゼンス情報の監視動作について、下記(２−１)及び(２−２)に示す動作例を、図４及び図５を参照して順に説明する。
【００５１】
(２−１)携帯電話機がフェムトセルへ進入した場合の動作例
(２−２)携帯電話機がフェムトセルから退去した場合の動作例
【００５２】
(２−１)携帯電話機がフェムトセルへ進入した場合の動作例
図４に示すように、携帯電話機７０は、フェムトセル４０へ進入すると、自機のＵＥ ＩＭＳＩを含む３Ｇ ＲＥＳＩＳＴＥＲを、フェムト基地局１０に対して送信する(ステップＳ１１)。フェムト基地局は、自局のＨＮＢ ＩＤを付加した３Ｇ ＲＥＳＩＳＴＥＲを、ＲＡＮ−ＧＷ ２０に対して送信する(ステップＳ１２)。
【００５３】
ＲＡＮ−ＧＷ ２０は、３Ｇ ＲＥＳＩＳＴＥＲをＭＳＣ ６１へ転送する(ステップＳ１３)。ＭＳＣ ６１は、３Ｇ ＲＥＳＩＳＴＥＲをＨＬＲ ６２へ転送する。ＨＬＲ ６２は、３Ｇ ＲＥＧＩＳＴＥＲに基づき、携帯電話機７０の位置情報を登録する(ステップＳ１４)。
【００５４】
上記のステップＳ１３と並行して、ＲＡＮ−ＧＷ ２０は、Ｐｒｅｓｅｎｃｅ Ｓｅｒｖｅｒ ３１に対し、下記３つのパラメータＵｓｅｒ Ｎａｍｅ、Ｐｒｅｓｅｎｃｅ、及びＳｔａｔｕｓを含むＳｅｔ Ｐｒｅｓｅｎｃｅを送信する(ステップＳ１５)。このＳｅｔ Ｐｒｅｓｅｎｃｅは、携帯電話機７０がフェムトセル４０へ進入したことを示す。
【００５５】
・Ｕｓｅｒ Ｎａｍｅ：携帯電話機７０のＵＥ ＩＭＳＩ
・Ｐｒｅｓｅｎｃｅ：フェムト基地局１０のＨＮＢ ＩＤ
・Ｓｔａｔｕｓ：Ａｒｒｉｖａｌ(フェムトセル４０へ到着(進入)したことを示す識別子)
【００５６】
また、ＲＡＮ−ＧＷ ２０は、Ｐｒｅｓｅｎｃｅ Ｓｅｒｖｅｒ ３１に対し、下記の如く設定したＵｓｅｒ Ｎａｍｅ、Ｐｒｅｓｅｎｃｅ、及びＳｔａｔｕｓを含むＳｅｔ Ｐｒｅｓｅｎｃｅを送信する(ステップＳ１６)。このＳｅｔ Ｐｒｅｓｅｎｃｅは、フェムトセル４０が携帯電話機７０により新たに在圏されたことを示す。
【００５７】
・Ｕｓｅｒ Ｎａｍｅ：フェムト基地局１０のＨＮＢ ＩＤ
・Ｐｒｅｓｅｎｃｅ：携帯電話機７０のＵＥ ＩＭＳＩ
・Ｓｔａｔｕｓ：Ａｒｒｉｖａｌ
【００５８】
(２−２)携帯電話機がフェムトセルから退去した場合の動作例
図５に示すように、携帯電話機７０は、フェムトセル４０からマクロセル９０(又は他のフェムトセル)へ退去する場合、自機のＵＥ ＩＭＳＩを含む３Ｇ ＤＥＲＥＳＩＳＴＥＲを、フェムト基地局１０に対して送信する(ステップＳ２１)。フェムト基地局は、自局のＨＮＢ ＩＤを付加した３Ｇ ＤＥＲＥＳＩＳＴＥＲを、ＲＡＮ−ＧＷ ２０に対して送信する(ステップＳ２２)。
【００５９】
ＲＡＮ−ＧＷ ２０は、３Ｇ ＤＥＲＥＳＩＳＴＥＲをＭＳＣ ６１へ転送する(ステップＳ２３)。ＭＳＣ ６１は、３Ｇ ＤＥＲＥＳＩＳＴＥＲをＨＬＲ ６２へ転送する。ＨＬＲ ６２は、３Ｇ ＤＥＲＥＧＩＳＴＥＲに基づき、携帯電話機７０の位置情報の登録を解除する(ステップＳ２４)。この後、携帯電話機７０の移動先がマクロセル９０である場合、携帯電話機７０の位置情報としてマクロセル９０が登録されることとなる。一方、携帯電話機７０の移動先が他のフェムトセルである場合、図４と同様の動作が行われ、以て携帯電話機７０の位置情報として他のフェムトセルが登録されることとなる。
【００６０】
上記のステップＳ２３と並行して、ＲＡＮ−ＧＷ ２０は、Ｐｒｅｓｅｎｃｅ Ｓｅｒｖｅｒ ３１に対し、下記の如く設定したＵｓｅｒ Ｎａｍｅ、Ｐｒｅｓｅｎｃｅ、及びＳｔａｔｕｓを含むＳｅｔ Ｐｒｅｓｅｎｃｅを送信する(ステップＳ２５)。このＳｅｔ Ｐｒｅｓｅｎｃｅは、携帯電話機７０がフェムトセル４０から退去したことを示す。
【００６１】
・Ｕｓｅｒ Ｎａｍｅ：携帯電話機７０のＵＥ ＩＭＳＩ
・Ｐｒｅｓｅｎｃｅ：フェムト基地局１０のＨＮＢ ＩＤ
・Ｓｔａｔｕｓ：Ｌｅｆｔ(フェムトセル４０から退去したことを示す識別子)
【００６２】
また、ＲＡＮ−ＧＷ ２０は、Ｐｒｅｓｅｎｃｅ Ｓｅｒｖｅｒ ３１に対し、下記の如く設定したＵｓｅｒ Ｎａｍｅ、Ｐｒｅｓｅｎｃｅ、及びＳｔａｔｕｓを含むＳｅｔ Ｐｒｅｓｅｎｃｅを送信する(ステップＳ２６)。このＳｅｔ Ｐｒｅｓｅｎｃｅは、フェムトセル４０が携帯電話機７０により在圏されなくなったことを示す。
【００６３】
・Ｕｓｅｒ Ｎａｍｅ：フェムト基地局１０のＨＮＢ ＩＤ
・Ｐｒｅｓｅｎｃｅ：携帯電話機７０のＵＥ ＩＭＳＩ
・Ｓｔａｔｕｓ：Ｌｅｆｔ
【００６４】
(３)情報配信動作例
最後に、情報配信動作について、下記(３−１)及び(３−２)に示す動作例を、図６及び図７を参照して順に説明する。
【００６５】
(３−１)特定のフェムトセルへの任意の携帯電話機の進入又は退去をトリガとする場合の動作例
(３−２)特定のフェムトセルへの特定の携帯電話機の進入又は退去をトリガとする場合の動作例
【００６６】
(３−１)特定のフェムトセルへの任意の携帯電話機の進入又は退去をトリガとする場合の動作例
図６に示すように、Ｐｒｅｓｅｎｃｅ Ｓｅｒｖｅｒ ３１は、図３のステップＳ６で要求されたＨＮＢ ＩＤを対象とするプレゼンス情報の更新通知(以下、Ｎｏｔｉｆｙ Ｐｒｅｓｅｎｃｅ)を、Ｎｏｔｉｆｉｃａｔｉｏｎ Ｓｅｒｖｅｒ ３２に対して送信する(ステップＳ３１)。ここで、フェムト基地局１０のＨＮＢ ＩＤをＮｏｔｉｆｙ Ｐｒｅｓｅｎｃｅの対象とする場合を例に取ると、Ｎｏｔｉｆｙ Ｐｒｅｓｅｎｃｅには、下記３つのパラメータＵｓｅｒ Ｎａｍｅ、Ｐｒｅｓｅｎｃｅ、及びＳｔａｔｕｓが含まれる。
【００６７】
・Ｕｓｅｒ Ｎａｍｅ：フェムト基地局１０のＨＮＢ ＩＤ
・Ｐｒｅｓｅｎｃｅ：携帯電話機７０のＵＥ ＩＭＳＩ
・Ｓｔａｔｕｓ：Ａｒｒｉｖａｌ又はＬｅｆｔ
【００６８】
そして、Ｎｏｔｉｆｉｃａｔｉｏｎ Ｓｅｒｖｅｒ ３２は、通知されたＨＮＢ ＩＤをＡｒｅａ ＩＤに変換する。具体的には、Ｎｏｔｉｆｉｃａｔｉｏｎ Ｓｅｒｖｅｒ ３２は、ＨＮＢ ＩＤを含むＳｅａｒｃｈ ｌｏｃａｔｉｏｎ ｒｅｑｕｅｓｔを、Ｐｒｏｆｉｌｅ Ｓｅｒｖｅｒ ３３に対して送信する(ステップＳ３２)。Ｐｒｏｆｉｌｅ Ｓｅｒｖｅｒ ３３は、ＨＮＢ ＩＤをキーとして上記(Ａ)に示したマッピング情報を検索し、以てＨＮＢ ＩＤに対応するＡｒｅａ ＩＤを取得する。そして、Ｐｒｏｆｉｌｅ Ｓｅｒｖｅｒ ３３は、取得したＡｒｅａ ＩＤを含むＳｅａｒｃｈ ｌｏｃａｔｉｏｎ ｒｅｓｐｏｎｓｅを、Ｎｏｔｉｆｉｃａｔｉｏｎ Ｓｅｒｖｅｒ ３２に対して送信する(ステップＳ３３)。
【００６９】
また、Ｎｏｔｉｆｉｃａｔｉｏｎ Ｓｅｒｖｅｒ ３２は、通知されたＵＥ ＩＭＳＩをＵＥ ＭＳＩＳＤＮに変換する。具体的には、Ｎｏｔｉｆｉｃａｔｉｏｎ Ｓｅｒｖｅｒ ３２は、ＵＥ ＩＭＳＩを含むＳｅａｒｃｈ ｕｓｅｒ ｒｅｑｕｅｓｔを、Ｐｒｏｆｉｌｅ Ｓｅｒｖｅｒ ３３に対して送信する(ステップＳ３４)。Ｐｒｏｆｉｌｅ Ｓｅｒｖｅｒ ３３は、ＵＥ ＩＭＳＩをキーとして上記(Ｃ)に示したマッピング情報を検索し、以てＵＥ ＩＭＳＩに対応するＵＥ ＭＳＩＳＤＮを取得する。そして、Ｐｒｏｆｉｌｅ Ｓｅｒｖｅｒ ３３は、取得したＵＥ ＭＳＩＳＤＮを含むＳｅａｒｃｈ ｕｓｅｒ ｒｅｓｐｏｎｓｅを、Ｎｏｔｉｆｉｃａｔｉｏｎ Ｓｅｒｖｅｒ ３２に対して送信する(ステップＳ３５)。
【００７０】
そして、Ｎｏｔｉｆｉｃａｔｉｏｎ Ｓｅｒｖｅｒ ３２は、上記のステップＳ３３で変換したＡｒｅａ ＩＤと、図３のステップＳ７で保持しておいた上記(Ｄ)〜(Ｆ)のパラメータとを用いて、Ｐｕｓｈサービスを生成する(ステップＳ３６)。
【００７１】
具体的には、Ｎｏｔｉｆｉｃａｔｉｏｎ Ｓｅｒｖｅｒ ３２は、取得したＡｒｅａ ＩＤが保持したＡｒｅａ ＩＤと一致するか否かを判定する。両Ａｒｅａ ＩＤが一致しない場合、Ｎｏｔｉｆｉｃａｔｉｏｎ Ｓｅｒｖｅｒ ３２は、情報配信を行わない。
【００７２】
一方、両Ａｒｅａ ＩＤが一致した場合、Ｎｏｔｉｆｉｃａｔｉｏｎ Ｓｅｒｖｅｒ ３２は、保持しておいたＰｕｓｈ条件に応じて、Ｐｕｓｈ内容として保持しておいたｍｓｇ ｂｏｄｙを携帯電話機７０へ配信する。具体的には、Ｎｏｔｉｆｉｃａｔｉｏｎ Ｓｅｒｖｅｒ ３２は、ｍｓｇ ｂｏｄｙと上記のステップＳ３５で変換したＵＥ ＭＳＩＳＤＮとを含むＭｅｓｓａｇｅ転送要求を、ＳＭＳＣ／ＭＭＳＣ ６３に対して送信する(ステップＳ３７)。
【００７３】
ＳＭＳＣ／ＭＭＳＣ ６３は、ｍｓｇ ｂｏｄｙを携帯電話機７０に対して送信する(ステップＳ３８)。今、携帯電話機７０がフェムトセル４０(又は他のフェムトセル)に在圏しているとすると、ｍｓｇ ｂｏｄｙは、ＭＳＣ ６１、ＲＡＮ−ＧＷ ２０、及びフェムト基地局１０(又は他のフェムト基地局)を順に経由して、携帯電話機７０に到達することとなる。一方、携帯電話機７０がマクロセル９０に在圏しているとすると、ｍｓｇ ｂｏｄｙは、ＭＳＣ ６１、ＲＮＣ １００、及びマクロ基地局８０を順に経由して、携帯電話機７０に到達することとなる。
【００７４】
これにより、フェムト基地局１０の設置場所に固有の情報をリアルタイムに配信することができる。例えば、フェムト基地局１０が店舗に設置されているとすると、店舗付近を通りかかった携帯電話機７０のユーザに対して、お勧め商品に関するチラシやクーポンといった情報を配信できる。また、ユーザが店舗を立ち去る際には、再来店を促すクーポンを配信できる。
【００７５】
ここで、３ｒｄ Ｐａｒｔｙにとっては、Ａｒｅａ ＩＤを用いて、情報配信の対象エリアを簡易に指定できるというメリットもある。また、Ａｒｅａ ＩＤをグループ識別子として割り当てた場合、３ｒｄ Ｐａｒｔｙは、複数のエリアで共通のサービスを配信することができる。
【００７６】
(３−２)特定のフェムトセルへの特定の携帯電話機の進入又は退去をトリガとする場合の動作例
図７に示すように、Ｐｒｅｓｅｎｃｅ Ｓｅｒｖｅｒ ３１は、図３のステップＳ６で要求されたＨＮＢ ＩＤ及びＵＥ ＩＭＳＩの組合せを対象とするＮｏｔｉｆｙ Ｐｒｅｓｅｎｃｅを、Ｎｏｔｉｆｉｃａｔｉｏｎ Ｓｅｒｖｅｒ ３２に対して送信する(ステップＳ４１)。ここで、フェムト基地局１０のＨＮＢ ＩＤ及び携帯電話機７０のＵＥ ＩＭＳＩの組合せをＮｏｔｉｆｙ Ｐｒｅｓｅｎｃｅの対象とする場合を例に取ると、Ｎｏｔｉｆｙ Ｐｒｅｓｅｎｃｅには、下記の如く設定されたＵｓｅｒ Ｎａｍｅ、Ｐｒｅｓｅｎｃｅ、及びＳｔａｔｕｓが含まれる。
【００７７】
・Ｕｓｅｒ Ｎａｍｅ：携帯電話機７０のＵＥ ＩＭＳＩ
・Ｐｒｅｓｅｎｃｅ：フェムト基地局１０のＨＮＢ ＩＤ
・Ｓｔａｔｕｓ：Ａｒｒｉｖａｌ又はＬｅｆｔ
【００７８】
そして、Ｎｏｔｉｆｉｃａｔｉｏｎ Ｓｅｒｖｅｒ ３２は、通知されたＵＥ ＩＭＳＩをＵＥ ＭＳＩＳＤＮ及びＵｓｅｒ ＩＤに変換する。具体的には、Ｎｏｔｉｆｉｃａｔｉｏｎ Ｓｅｒｖｅｒ ３２は、ＵＥ ＩＭＳＩを含むＳｅａｒｃｈ ｕｓｅｒ ｒｅｑｕｅｓｔを、Ｐｒｏｆｉｌｅ Ｓｅｒｖｅｒ ３３に対して送信する(ステップＳ４２)。Ｐｒｏｆｉｌｅ Ｓｅｒｖｅｒ ３３は、ＵＥ ＩＭＳＩをキーとして上記(Ｃ)に示したマッピング情報を検索し、以てＵＥ ＩＭＳＩに対応するＵＥ ＭＳＩＳＤＮを取得する。また、Ｐｒｏｆｉｌｅ Ｓｅｒｖｅｒ ３３は、ＵＥ ＩＭＳＩをキーとして上記(Ｂ)に示したマッピング情報を検索し、以てＵＥ ＩＭＳＩに対応するＵｓｅｒ ＩＤを取得する。そして、Ｐｒｏｆｉｌｅ Ｓｅｒｖｅｒ ３３は、取得したＵＥ ＭＳＩＳＤＮ及びＵｓｅｒ ＩＤを含むＳｅａｒｃｈ ｕｓｅｒ ｒｅｓｐｏｎｓｅを、Ｎｏｔｉｆｉｃａｔｉｏｎ Ｓｅｒｖｅｒ ３２に対して送信する(ステップＳ４３)。
【００７９】
また、Ｎｏｔｉｆｉｃａｔｉｏｎ Ｓｅｒｖｅｒ ３２は、通知されたＨＮＢ ＩＤをＡｒｅａ ＩＤに変換する。具体的には、Ｎｏｔｉｆｉｃａｔｉｏｎ Ｓｅｒｖｅｒ ３２は、ＨＮＢ ＩＤを含むＳｅａｒｃｈ ｌｏｃａｔｉｏｎ ｒｅｑｕｅｓｔを、Ｐｒｏｆｉｌｅ Ｓｅｒｖｅｒ ３３に対して送信する(ステップＳ４４)。Ｐｒｏｆｉｌｅ Ｓｅｒｖｅｒ ３３は、ＨＮＢ ＩＤをキーとして上記(Ａ)に示したマッピング情報を検索し、以てＨＮＢ ＩＤに対応するＡｒｅａ ＩＤを取得する。そして、Ｐｒｏｆｉｌｅ Ｓｅｒｖｅｒ ３３は、取得したＡｒｅａ ＩＤを含むＳｅａｒｃｈ ｌｏｃａｔｉｏｎ ｒｅｓｐｏｎｓｅを、Ｎｏｔｉｆｉｃａｔｉｏｎ Ｓｅｒｖｅｒ ３２に対して送信する(ステップＳ４５)。
【００８０】
そして、Ｎｏｔｉｆｉｃａｔｉｏｎ Ｓｅｒｖｅｒ ３２は、上記のステップＳ４３及びＳ４５で変換したＵｓｅｒ ＩＤ及びＡｒｅａ ＩＤと、図３のステップＳ７で保持しておいた上記(Ｄ)〜(Ｆ)のパラメータとを用いて、Ｐｕｓｈサービスを生成する(ステップＳ４６)。
【００８１】
具体的には、まずＮｏｔｉｆｉｃａｔｉｏｎ Ｓｅｒｖｅｒ ３２は、取得したＡｒｅａ ＩＤが保持しておいたＡｒｅａ ＩＤと一致するか否かを判定する。両Ａｒｅａ ＩＤが一致しない場合、Ｎｏｔｉｆｉｃａｔｉｏｎ Ｓｅｒｖｅｒ ３２は、情報配信を行わない。
【００８２】
一方、両Ａｒｅａ ＩＤが一致した場合、Ｎｏｔｉｆｉｃａｔｉｏｎ Ｓｅｒｖｅｒ ３２は、取得したＵｓｅｒ ＩＤが保持しておいたＵｓｅｒ ＩＤと一致するか否かを更に判定する。両Ｕｓｅｒ ＩＤが一致しない場合、Ｎｏｔｉｆｉｃａｔｉｏｎ Ｓｅｒｖｅｒ ３２は、情報配信を行わない。
【００８３】
両Ｕｓｅｒ ＩＤが一致した場合、Ｎｏｔｉｆｉｃａｔｉｏｎ Ｓｅｒｖｅｒ ３２は、保持しておいたＰｕｓｈ条件に応じて、Ｐｕｓｈ内容として保持しておいたｍｓｇ ｂｏｄｙを携帯電話機７０へ配信する。具体的には、Ｎｏｔｉｆｉｃａｔｉｏｎ Ｓｅｒｖｅｒ ３２は、ｍｓｇ ｂｏｄｙと上記のステップＳ４３で変換したＵＥ ＭＳＩＳＤＮとを含むＭｅｓｓａｇｅ転送要求を、ＳＭＳＣ／ＭＭＳＣ ６３に対して送信する(ステップＳ４７)。
【００８４】
ＳＭＳＣ／ＭＭＳＣ ６３は、ｍｓｇ ｂｏｄｙを携帯電話機７０に対して送信する(ステップＳ４８)。今、携帯電話機７０がフェムトセル４０(又は他のフェムトセル)に在圏しているとすると、ｍｓｇ ｂｏｄｙは、ＭＳＣ ６１、ＲＡＮ−ＧＷ ２０、及びフェムト基地局１０(又は他のフェムト基地局)を順に経由して、携帯電話機７０に到達することとなる。一方、携帯電話機７０がマクロセル９０に在圏しているとすると、ｍｓｇ ｂｏｄｙは、ＭＳＣ ６１、ＲＮＣ １００、及びマクロ基地局８０を順に経由して、携帯電話機７０に到達することとなる。
【００８５】
これにより、フェムト基地局１０の設置場所に固有、且つ特定のユーザ向けの情報をリアルタイムに配信することができる。例えば、フェムト基地局１０が若年層向けの商品を扱う店舗に設置されているとすると、店舗付近を通りかかった携帯電話機７０のユーザが若者である場合に限り、商品に関するチラシやクーポンといった情報を配信できる。換言すると、３ｒｄ Ｐａｒｔｙ或いは店舗側にとっては、効率的な情報配信を行うことができる。
【００８６】
ここで、３ｒｄ Ｐａｒｔｙにとっては、Ｕｓｅｒ ＩＤを用いて、情報配信の対象ユーザを簡易に指定できるというメリットもある。また、Ｕｓｅｒ ＩＤをグループ識別子として割り当てた場合、３ｒｄ Ｐａｒｔｙは、複数のユーザに対して共通のサービスを配信することができる。
【００８７】
また、Ｎｏｔｉｆｉｃａｔｉｏｎ Ｓｅｒｖｅｒ ３２は、携帯電話機７０(プレゼンス情報の監視対象)以外の携帯電話機又はＰＣ等の端末に対して、ｍｓｇ ｂｏｄｙを配信することができる。例えば、フェムト基地局１０が家、学校、商店等の特定エリアに設置され、且つ携帯電話機７０のユーザが子供や老人等の見守り対象者であるとすると、見守り対象者が特定エリアに到着又は離れたこといった情報を、第３者に対してリアルタイムに配信できる。
【００８８】
[実施の形態２]
図８に示すように、本実施の形態に係るサービス配信システム１ａは、図２に示したサービス配信システム１の構成に加えて、情報機器１２０と付加情報配信サーバ１３０とを設けた点で、上記の実施の形態１と異なる。
【００８９】
この内、情報機器１２０は、フェムトセル４０内に設置される、デジタルサイネージ(Ｄｉｇｉｔａｌ Ｓｉｇｎａｇｅ)、ＰＤＡ(Ｐｅｒｓｏｎａｌ Ｄｉｇｉｔａｌ Ａｓｓｉｓｔａｎｔｓ)、ＰＣ等の機器である。
【００９０】
一方、付加情報配信サーバ１３０は、ＳＤＰ ３０により制御される。また、付加情報配信サーバ１３０は、情報機器１２０に対して、ＳＤＰ ３０の配信情報に関連する付加情報を配信するよう指示する。
【００９１】
動作においては、図６に示した上記のステップＳ３１〜Ｓ３８の処理に加えて、図９に示すステップＳ５１及びＳ５２の処理が実行される。
【００９２】
すなわち、Ｎｏｔｉｆｉｃａｔｉｏｎ Ｓｅｒｖｅｒ ３２は、上記のステップＳ３７と並行して、例えば、上記のステップＳ３３で変換したＡｒｅａ ＩＤと上記のステップＳ３５で変換したＵＥ ＭＳＩＳＤＮとを含む通知(以下、Ｎｏｔｉｆｉｃａｔｉｏｎ)を、付加情報配信サーバ１３０に対して送信する(ステップＳ５１)。
【００９３】
そして、付加情報配信サーバ１３０は、通知されたＡｒｅａ ＩＤから情報機器１２０を特定すると共に、情報機器１２０に対し、付加情報の配信指示(以下、Ｉｎｓｔｒｕｃｔｉｏｎ)を公衆網５０を介して送信する(ステップＳ５２)。この時、付加情報配信サーバ１３０は、ＵＥ ＭＳＩＳＤＮに固有の付加情報(すなわち、携帯電話機７０のユーザ属性に応じた付加情報)を生成すると好適である。
【００９４】
これにより、携帯電話機７０のユーザに対し、上記のｍｓｇ ｂｏｄｙに加えて、映像データ、画像データ、音声データ、或いはこれらを統合したマルチメディアデータ等を含む付加情報がリアルタイムに配信されることとなる。例えば、情報機器１２０が空港内に設置されたデジタルサイネージであるとすると、デジタルサイネージ付近を通りかかったユーザの嗜好に則したカテゴリの情報(地域情報やホテル情報等)を、ユーザが使用する言語で表示することができる。なお、Ｎｏｔｉｆｉｃａｔｉｏｎ Ｓｅｒｖｅｒ ３２が、ＵＥ ＭＳＩＳＤＮに代えて、ユーザ属性情報を付加情報配信サーバ１３０へ通知するようにしても良い。また、付加情報は、上記(Ｆ)に示したＰｕｓｈ内容に含めるようにしても良い。さらに、Ｎｏｔｉｆｉｃａｔｉｏｎ Ｓｅｒｖｅｒ ３２は、ｍｓｇ ｂｏｄｙの配信に代えて(すなわち、上記のステップＳ３７を実行せず)、情報機器１２０にｍｓｇ ｂｏｄｙを配信させるようにしても良い。
【００９５】
なお、上記の実施の形態によって本発明は限定されるものではなく、特許請求の範囲の記載に基づき、当業者によって種々の変更が可能なことは明らかである。
【００９６】
例えば、上記の実施の形態に示したＳＤＰ ３０の各処理を、コンピュータに実行させるためのプログラムとして提供することもできる。この場合、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９７】
また、Ｎｏｔｉｆｉｃａｔｉｏｎ Ｓｅｒｖｅｒ ３２は、携帯電話機７０のユーザが３ｒｄ Ｐａｒｔｙ Ｉｎｆｏｒｍａｔｉｏｎ Ｐｒｏｖｉｄｅｒ １１０により指定された移動経路を辿った場合に、特典情報等を配信することもできる。具体的には、Ｎｏｔｉｆｉｃａｔｉｏｎ Ｓｅｒｖｅｒ ３２は、携帯電話機７０を対象とするＳｅｔ Ｐｒｅｓｅｎｃｅの受信履歴をトレースし、以て携帯電話機７０によるフェムト基地局間の移動履歴を求める。この移動履歴が３ｒｄ Ｐａｒｔｙ Ｉｎｆｏｒｍａｔｉｏｎ Ｐｒｏｖｉｄｅｒ １１０により予め指定された移動履歴と一致した場合、Ｎｏｔｉｆｉｃａｔｉｏｎ Ｓｅｒｖｅｒ ３２は、情報配信を行う。
【００９８】
この出願は、２０１０年１月２９日に出願された日本出願特願２０１０−０１８６４０を基礎とする優先権を主張し、その開示の全てをここに取り込む。
【産業上の利用可能性】
【００９９】
本発明は、サービス配信プラットフォーム、サービス配信システム、並びにサービス配信方法及びプログラムに適用され、特にフェムトセルの位置情報を活用したＰｕｓｈ型サービスを配信する用途に適用される。具体的には、本発明は、上述したチラシやクーポン等の広告配信サービス、子供や老人等に対する見守りサービス、付加情報配信サービスに加え、下記のようなサービスにも適用できる。【０１００】
・エンドユーザマッチングサービス：例えば、同一の場所(同一のフェムトセル配下)に存在する他のユーザに関する情報を配信するサービス。
・アプリケーション・ソフトウェア配信サービス：例えば、特定の場所(特定のフェムトセル配下)でのみゲーム等のアプリケーション・ソフトウェアを配信するサービス。【０１０１】
上記の実施の形態の一部又は全部は、以下の付記のようにも記載され得るが、以下には限られない。【０１０２】
（付記１）
基地局に公衆網を介して接続され且つ前記基地局とコアネットワークとの間でトラヒックを中継するゲートウェイから、前記基地局が形成する無線通信エリアへの移動局の進入又は退去を示すメッセージを受信する第１のサーバと、
前記メッセージの受信をトリガとして、前記移動局又は前記移動局に対応付けて設定された宛先に対し情報を配信する第２のサーバと、
を備えたサービス配信プラットフォーム。【０１０３】
（付記２）付記１において、
前記第１のサーバは、前記ゲートウェイにより複数の基地局と前記コアネットワークとの間のトラフィックが中継される場合、前記ゲートウェイから、各基地局が形成する無線通信エリアへの前記移動局の進入又は退去を示すメッセージを受信し、
前記第２のサーバは、前記メッセージが、前記情報の提供元から指定された特定の基地局が形成する無線通信エリアへの前記移動局の進入又は退去を示す場合、前記情報の配信を行うことを特徴するサービス配信プラットフォーム。【０１０４】
（付記３）付記２において、
前記コアネットワークで各基地局を一意に識別するための第１の識別子と、前記提供元に各基地局を指定させるための第２の識別子との対応関係を示すマッピング情報を記憶する第３のサーバを、さらに備え、
前記第２のサーバは、
前記マッピング情報を参照して、前記メッセージに含まれる第１の識別子を、これに対応する第２の識別子に変換し、
前記変換により得た第２の識別子と、前記提供元が前記特定の基地局の指定に際して用いた第２の識別子とが一致する場合、前記情報の配信を行う、
ことを特徴とするサービス配信プラットフォーム。【０１０５】
（付記４）付記３において、
前記第２の識別子が、２以上の基地局に対して共通に割り当てられることを特徴としたサービス配信プラットフォーム。【０１０６】
（付記５）付記１又は２において、
前記第２のサーバは、前記メッセージが、前記情報の提供元から指定された特定の移動局による前記無線通信エリアへの進入又は退去を示す場合、前記情報の配信を行うことを特徴とするサービス配信プラットフォーム。【０１０７】
（付記６）付記５において、
前記コアネットワークで複数の移動局各々を一意に識別するための第１の識別子と、前記提供元に各移動局を指定させるための第２の識別子との対応関係を示すマッピング情報を記憶する第３のサーバを、さらに備え、
前記第２のサーバは、
前記マッピング情報を参照して、前記メッセージに含まれる第１の識別子を、これに対応する第２の識別子に変換し、
前記変換により得た第２の識別子と、前記提供元が前記特定の移動局の指定に際して用いた第２の識別子とが一致する場合、前記情報の配信を行う、
ことを特徴とするサービス配信プラットフォーム。【０１０８】
（付記７）付記６において、
前記第２の識別子が、２以上の移動局に対して共通に割り当てられることを特徴としたサービス配信プラットフォーム。【０１０９】
（付記８）付記１において、
前記第２のサーバが、前記移動局又は宛先への情報配信に代えて、前記無線通信エリア内に設置された情報機器に情報を配信させることを特徴としたサービス配信プラットフォーム。【０１１０】
（付記９）付記１において、
前記第１のサーバは、前記ゲートウェイにより複数の基地局と前記コアネットワークとの間のトラフィックが中継される場合、前記ゲートウェイから、各基地局が形成する無線通信エリアへの前記移動局の進入又は退去を示すメッセージを受信し、
前記第２のサーバは、前記メッセージの受信履歴に基づき、前記移動局による基地局間の移動履歴を求めると共に、前記推定した移動履歴が前記情報の提供元から指定された移動履歴と一致した場合、前記情報の配信を行うことを特徴とするサービス配信プラットフォーム。【０１１１】
（付記１０）
基地局に公衆網を介して接続され且つ前記基地局とコアネットワークとの間でトラヒックを中継するゲートウェイから、前記基地局が形成する無線通信エリアへの移動局の進入又は退去を示すメッセージを受信し、
前記メッセージの受信をトリガとして、前記移動局又は前記移動局に対応付けて設定された宛先に対し情報を配信する、
ことを含むサービス配信方法。【０１１２】
（付記１１）付記１０において、
前記ゲートウェイにより複数の基地局と前記コアネットワークとの間のトラフィックが中継される場合、前記ゲートウェイから、各基地局が形成する無線通信エリアへの前記移動局の進入又は退去を示すメッセージを受信し、
前記メッセージが、前記情報の提供元から指定された特定の基地局が形成する無線通信エリアへの前記移動局の進入又は退去を示す場合、前記情報の配信を行うことを特徴するサービス配信方法。【０１１３】
（付記１２）付記１１において、
前記コアネットワークで各基地局を一意に識別するための第１の識別子と、前記提供元に各基地局を指定させるための第２の識別子との対応関係を示すマッピング情報を記憶することを、さらに含み、
前記マッピング情報を参照して、前記メッセージに含まれる第１の識別子を、これに対応する第２の識別子に変換し、
前記変換により得た第２の識別子と、前記提供元が前記特定の基地局の指定に際して用いた第２の識別子とが一致する場合、前記情報の配信を行う、
ことを特徴とするサービス配信方法。【０１１４】
（付記１３）付記１２において、
前記第２の識別子として、２以上の基地局に対して共通に割り当てられた識別子を用いることを特徴としたサービス配信方法。【０１１５】
（付記１４）付記１０又は１１において、
前記メッセージが、前記情報の提供元から指定された特定の移動局による前記無線通信エリアへの進入又は退去を示す場合、前記情報の配信を行うことを特徴とするサービス配信方法。【０１１６】
（付記１５）付記１４において、
前記コアネットワークで複数の移動局各々を一意に識別するための第１の識別子と、前記提供元に各移動局を指定させるための第２の識別子との対応関係を示すマッピング情報を記憶することを、さらに含み、
前記マッピング情報を参照して、前記メッセージに含まれる第１の識別子を、これに対応する第２の識別子に変換し、
前記変換により得た第２の識別子と、前記提供元が前記特定の移動局の指定に際して用いた第２の識別子とが一致する場合、前記情報の配信を行う、
ことを特徴とするサービス配信方法。【０１１７】
（付記１６）付記１５において、
前記第２の識別子として、２以上の移動局に対して共通に割り当てられた識別子を用いることを特徴としたサービス配信方法。【０１１８】
（付記１７）付記１０において、
前記無線通信エリア内に設置された情報機器に、前記情報に関連する付加情報を配信させることを特徴としたサービス配信方法。【０１１９】
（付記１８）付記１０において、
前記移動局又は宛先への情報配信に代えて、前記無線通信エリア内に設置された情報機器に情報を配信させることを特徴としたサービス配信方法。【０１２０】
（付記１９）付記１７又は１８において、
前記情報機器に、前記移動局を所持するユーザの属性に応じた情報を配信させることを特徴としたサービス配信方法。【０１２１】
（付記２０）付記１０において、
前記ゲートウェイにより複数の基地局と前記コアネットワークとの間のトラフィックが中継される場合、前記ゲートウェイから、各基地局が形成する無線通信エリアへの前記移動局の進入又は退去を示すメッセージを受信し、
前記メッセージの受信履歴に基づき、前記移動局による基地局間の移動履歴を求めると共に、前記推定した移動履歴が前記情報の提供元から指定された移動履歴と一致した場合、前記情報の配信を行うことを特徴とするサービス配信方法。
【符号の説明】
【０１２２】
１, １ａ  サービス配信システム
１０  フェムト基地局
２０  ＲＡＮ−ＧＷ
３０  ＳＤＰ
３１  Ｐｒｅｓｅｎｃｅ Ｓｅｒｖｅｒ
３２  Ｎｏｔｉｆｉｃａｔｉｏｎ Ｓｅｒｖｅｒ
３３  Ｐｒｏｆｉｌｅ Ｓｅｒｖｅｒ
３４  ３ｒｄ Ｐａｒｔｙ ＧＷ
４０  フェムトセル
５０  公衆網
６０  コアネットワーク
６１  ＭＳＣ
６２  ＨＬＲ
６３  ＳＭＳＣ／ＭＭＳＣ
７０  携帯電話機
８０  マクロ基地局
９０  マクロセル
１００  ＲＮＣ
１１０  ３ｒｄ Ｐａｒｔｙ Ｉｎｆｏｒｍａｔｉｏｎ Ｐｒｏｖｉｄｅｒ
１２０  情報機器
１３０  付加情報配信サーバ
【図１】
0005392359.tif 000002
【図２】
0005392359.tif 000003
【図３】
0005392359.tif 000004
【図４】
0005392359.tif 000005
【図５】
0005392359.tif 000006
【図６】
0005392359.tif 000007
【図７】
0005392359.tif 000008
【図８】
0005392359.tif 000009
【図９】
0005392359.tif 000010